(57)【要約】  第２部分（１２）にルースにアンカーされ／結合された録音及び／又は音再生部分（１１，１３，１７）、そこでは前記録音及び／音再生部分は磁場上に浮揚されており、該録音及び／又は音再生部分（１１，１３，１７）と前記第２部分（１２）は組み合わせで第１の録音及び／又は音再生デバイス（１０）を形成する。本発明は更に、下記デバイス、すなわち、拡声機能付き電話、電話、無線通信機器、モバイルホン、ブルーツースデバイス、ビデオ会議ターミナル、補聴器（ｈｅａｒｉｎｇ  ａｉｄ）又は能動的耳保護機器（ａｃｔｉｖｅ  ｅａｒ  ｐｒｏｔｅｃｔｉｏｎ  ｅｑｕｉｐｍｅｎｔ）、の１つ以上の中での該録音及び／又は音再生部分の使用を開示する。
2007534198.tif 000002
【特許請求の範囲】
【請求項１】
第２部分（１２）にルースにアンカーされ／結合された録音及び／又は音再生部分（１１，１３，１７）に於いて、前記録音及び／又は音再生部分が磁場上に浮揚されることを特徴とする該録音及び／又は音再生部分。
【請求項２】
該録音及び／又は音再生部分（１１，１３，１７）と前記第２部分（１２）とが組み合わせで第１の録音及び／又は音再生デバイス（１０）を形成することを特徴とする請求項１の録音及び／又は音再生部分。
【請求項３】
前記第１の録音及び／又は音再生デバイス（１０）が、各層が上の層と下の層の間の磁場上で浮揚される或る数の層内で、第１層を形成することを特徴とする請求項２の録音及び／又は音再生部分。
【請求項４】
前記磁場が該録音及び／又は音再生部分により保持される永久磁石（１３）及び／又は電磁石（１３）と、該第２部分により保持される磁石（１４）と、により達成され、前記磁石が、相互に対面しており、該録音及び／又は音再生部分を浮揚させる反発力を創る、同じ極を有することを特徴とする請求項１−３の１つの録音及び／又は音再生部分。
【請求項５】
該録音及び／又は音再生部分が小さなジンバル又は柔軟なパッド（１５，１８）及び／又は柔軟な腕部／指部（１６）により側方で固定され、そして／又は前記第１の録音及び／又は音再生デバイス（１０）が小さなジンバル又は柔軟なパッド及び／又は柔軟な腕部／指部により側方で固定されることを特徴とする請求項１−４の１つの録音及び／又は音再生部分。
【請求項６】
前記側方での固定装置（１５，１６，１８）が該録音及び／又は音再生部分から外方へ延びる１つ以上の腕部／指部として実現され、前記固定装置（１５，１６，１８）が該第２部分（１２）に固定され、そして／又は前記側方での固定装置が前記第１の録音及び／又は音再生デバイス（１０）から外方へ延びる１つ以上の腕部／指部として実現され、前記固定装置が前記下の層に固定されることを特徴とする請求項３及び５の録音及び／又は音再生部分。
【請求項７】
該腕部／指部は柔軟であり、該録音及び／又は音再生部分が磁束線に平行な軸線に沿って自由に動くことを可能にしており、そして／又は該腕部／指部は柔軟であり、前記第１の録音及び／又は音再生デバイス（１０）が各層間で該磁束線に平行な軸線に沿って自由に動くことを可能にすることを特徴とする請求項５又は６の録音及び／又は音再生部分。
【請求項８】
該録音及び／又は音再生部分（１１，１３，１７）は機械的な干渉に対し機械的に固定されており、そして／又は前記第１の録音及び／又は音再生デバイス（１０）は機械的な干渉に対し機械的に固定されていることを特徴とする前記請求項の１つの録音及び／又は音再生部分。
【請求項９】
前記機械的固定装置は安全ボルト及び／又は安全フック保持ボルトとして実現されることを特徴とする請求項８の録音及び／又は音再生部分。
【請求項１０】
減衰材料／基盤（１９）が、該録音及び／又は音再生部分と、該第２部分と、の間の面の１つ又は両者に取り付けられ、そして／又は減衰材料／基盤が前記第１の録音及び／又は音再生デバイス（１０）と前記下の層と、の間の面の１つ又は両者に取り付けられることを特徴とする前記請求項の１つの録音及び／又は音再生部分。
【請求項１１】
前記第１の録音及び／又は音再生デバイス（１０）が下記デバイス、すなわち、
拡声機能付き電話、
電話、
無線通信機器、
モバイルホン、
ブルーツースデバイス、
ビデオ会議ターミナル、
補聴器、そして
能動的耳保護機器、
の１つ以上の一体化部品であることを特徴とする請求項２−１０の１つの録音及び／又は音再生部分。
【請求項１２】
該録音及び／又は音再生部分がマイクロホン（１７）を保持することを特徴とする前記請求項の１つの録音及び／又は音再生部分。
【請求項１３】
前記第１の録音及び／又は音再生デバイス（１０）がテーブルトップマイクロホンであることを特徴とする請求項１２の録音及び／又は音再生部分。
【請求項１４】
該録音及び／又は音再生部分がスピーカー素子を保持することを特徴とする請求項１−１１の１つの録音及び／又は音再生部分。
【請求項１５】
該録音及び／又は音再生部分（１１，１３，１７）と該第２部分（１２）の間の該信号伝達及び電力輸送が無線による伝達又は輸送であることを特徴とする請求項１−１４の１つの録音及び／又は音再生部分。
【請求項１６】
該無線伝達が下記解決策、すなわち、
ブルーツース結合／伝達、
該ブルーツース結合と異なる無線結合、
紫外線結合／伝達、
磁気結合／伝達、
光学的結合／伝達、の１つ以上で、及び／又は
誘導的に結合されたシステムとして、
実現されることを特徴とする請求項１５の録音及び／又は音再生部分。
【請求項１７】
前記第１の録音及び／又は音再生デバイス（１０）が下記デバイス、すなわち、
拡声機能付き電話、
電話、
無線通信機器、
モバイルホン、
ブルーツースデバイス、
ビデオ会議ターミナル、
補聴器そして
能動的耳保護機器、
の１つ以上内の一体化部分として使われることを特徴とする請求項２−１６の何れかの録音及び／又は音再生部分（１１，１３，１７）の使用方法。
【発明の詳細な説明】
【技術分野】
【０００１】
本発明は機械的及び音響的影響により引き起こされる録音及び／又は音再生部分（ｓｏｕｎｄ  ｒｅｃｏｒｄｉｎｇ  ａｎｄ／ｏｒ  ｓｏｕｎｄ  ｒｅｐｒｏｄｕｃｉｎｇ  ｐａｒｔｓ）内の音響的フイードバック的（ａｃｏｕｓｔｉｃ  ｆｅｅｄｂａｃｋ）及び構造体伝達的（ｓｔｒｕｃｔｕｒｅ−ｂｏｒｎｅ）な音（ｓｏｕｎｄｓ）を抑制（ｓｕｐｐｒｅｓｓｉｎｇ）する新デバイス及び該デバイスの使用法に関する。
【背景技術】
【０００２】
音響的か又は構造体伝達的か何れかのフィードバックにより引き起こされる問題はオーディオ、放送又は遠隔通信で良く知られた問題である。
【０００３】
大抵のマイクロホン（ｍｉｃｒｏｐｈｏｎｅｓ）の応答は周囲構造体からピックアップ（ｐｉｃｋｅｄ  ｕｐ）される振動により減じられる。テーブルマイクロホンの場合、これはテーブルそれ自身の振動である。もし誰かが該テーブル上で作業しているなら、彼らは音を創り、ノックし、鉛筆をタップし、カップ他を動かし移動するが、それは振動を介してその該マイクロホンへの道を見い出す。空気で運ばれる音も周囲構造体を励起（ｅｘｃｉｔｅ）し、この構造体内の何らかの共鳴（ｒｅｓｏｎａｎｃｅｓ）は該マイクロホンと結合され、過渡的及び／又は調波的歪み（ｔｒａｎｓｉｅｎｔ  ａｎｄ／ｏｒ  ｈａｒｍｏｎｉｃ  ｄｉｓｔｏｒｔｉｏｎ）に帰着する。
【０００４】
集積化されたビデオ又は電話会議システム（ｉｎｔｅｇｒａｔｅｄ  ｖｉｄｅｏ  ｏｒ
ｔｅｌｅｐｈｏｎｅ  ｃｏｎｆｅｒｅｎｃｅ  ｓｙｓｔｅｍｓ）では、組み込まれたラウドスピーカーからの振動（音）、は空気を通過するのに加えて、マイクロホンに直接届く。これはキャビネットも又該ラウドスピーカーと同相で振動を始めるからである。テーブルトップのマイクロホンが使われる、特に何人かの参加者が該会議の１部に加わる会議では、参加者が、該テーブル上で物を動かす又は該テーブル上で彼らの指でタップする参加者と、従って、上記で述べた様に、貴方が有するであろう該マイクロホンを屡々保持するテーブルと、該マイクロホンとこの例での該テーブルとの間の結合と、によるノイズで妨害されることを経験が示している。
【０００５】
遠隔会議機器のラウドスピーカーとマイクロホンの間の望ましくない結合は普通、音響エコーキャンセラー（ａｃｏｕｓｔｉｃ  ｅｃｈｏ  ｃａｎｃｅｌｌｅｒ）を使って補償される。普通、この様なエコーキャンセラーはその空気を通して伝播する音が可成り線形性（ｆａｉｒｌｙ  ｌｉｎｅａｒ）であるので、線形モデル（ｌｉｎｅａｒ  ｍｏｄｅｌ）に基づく。しかしながら、キャビネットを通して結合された振動はより大きい調波的歪みの部分（ｌａｒｇｅｒ  ｐｏｒｔｉｏｎｓ  ｏｆ  ｈａｒｍｏｎｉｃ  ｄｉｓｔｏｒｔｉｏｎ）を有し、該エコーキャンセラーの性能を減じ、もっと複雑で、高価なエコーキャンセラーを要する。又（ラウドスピーカーとマイクロホンが広く離れている場合）機械的結合を有しない又は非常に低くしか有しないセットアップ（ｓｅｔｕｐｓ）のエコーキャンセラーは、空気で運ばれた音がそのマイクロホンを囲む構造体を励起するので、この様な調波的歪みをこうむる。
【０００６】
マイクロホンの性能を高めるためには従って、どんな振動も該マイクロホン素子（ｍｉｃｒｏｐｈｏｎｅ  ｅｌｅｍｅｎｔ）内に入るのを防止するように該マイクロホンを周囲構造体から機械的に分離することが極めて重要である。
【０００７】
ノイズ源と、望まれる信号源と、を分離する問題に対処する多くの良く知られた技術が
ある。録音と、音を発生する源と、を機械的に分離することにより、欲しない結合、特に機械的結合を抑制することが１つである。例えば、浮動懸架（ｆｌｏａｔｉｎｇ  ｓｕｓｐｅｎｓｉｏｎ）を使うレコードプレイヤー（ｒｅｃｏｒｄ  ｐｌａｙｅｒ）用の例により従来行われたが、マイクロホン及びラウドスピーカー用に、従来の様にばねの使用により、機械的結合の抑制（ｓｕｐｐｒｅｓｓｉｏｎ  ｏｆ  ｍｅｃｈａｎｉｃａｌ  ｃｏｕｐｌｉｎｇ）のために弾性懸架（ｅｌａｓｔｉｃ  ｓｕｓｐｅｎｓｉｏｎ）を使うことは公知である。これらの弾性懸架は、マイクロホン又はラウドスピーカーとその設置デバイス（ｍｏｕｎｔｉｎｇ  ｄｅｖｉｃｅ）の間に懸架を形成するゴムバンドとすることも出来る。
【０００８】
特許文献１からマイクロホン素子（ｍｉｃｒｏｐｈｏｎｅ  ｅｌｅｍｅｎｔ）がハウジング内部に機械的に懸架（ｓｕｓｐｅｎｄｅｄ）されるマイクロホンは公知である。該マイクロホン素子を保持するために使われる弾性材料の重さと特性は既知であり、従って固有揺動周波数（ｎａｔｕｒａｌ  ｓｗｉｎｇｉｎｇ  ｆｒｅｑｕｅｎｃｉｅｓ）は既知であり、これは該素子を励起する振動を補償するため使われる。信号内に振動で発生されるノイズ（ｖｉｂｒａｔｉｏｎ  ｇｅｎｅｒａｔｅｄ  ｎｏｉｓｅ）を補償するもう１つの方法が特許文献２で開示される。ここでは該マイクロホンは該マイクロホンケース内部に発振検出デバイス（ｏｓｃｉｌｌａｔｉｏｎ−ｄｅｔｅｃｔｉｎｇ  ｄｅｖｉｃｅ）を有する。このデバイスからの情報は電子的に処理され、次いで該ノイズを補償するために該マイクロホン素子からの信号を修正するために使われる。該問題を解くなおもう１つの方法はマイクロホンケース全体を或る種の柔軟なクレードル（ｃｒａｄｌｅ）内に現実的に置くことであり、これは特許文献３で行われている。
【０００９】
該振動の問題はマイクロホンの製造者（ｍａｎｕｆａｃｔｕｒｅｒｓ）により良く知られており、従ってこれらの製造者は振動に対してもっと不感（ｉｍｍｕｎｅ）であるが、完全に不感ではないマイクロホンを開発して来た。より軽く／より薄い膜が普通使われるのみならず、該幕内にもっと引っ張り力を掛けて使われる（Ｌｉｇｈｔｅｒ／ｔｈｉｎｎｅｒ  ｍｅｍｂｒａｎｅｓ  ａｒｅ  ｃｏｍｍｏｎｌｙ  ｕｓｅｄ，  ａｓ  ｗｅｌ  ａｓ  ｍｏｒｅ  ｔｅｎｓｉｏｎ  ｉｎ  ｔｈｅ  ｍｅｍｂｒａｎｅ）。これらの技術は欠点を有することが多く、それはより高価な製造又は空気伝搬音へのより低い感度のためである。加えて、製造者は、膜に対し法線方向（９０度）の振動を避けるよう、マイクロホンを回転することを勧める。この後者の技術は、振動の主要面（ｐｒｉｍａｒｙ  “ｐｌａｎｅ”  ｏｆ  ｖｉｂｒａｔｉｏｎｓ）がある場合のみ通用する。
【００１０】
他の応用では、振動の抑制はジャイロスコープ的懸架（ｇｙｒｏｓｃｏｐｉｃ  ｓｕｓｐｅｎｓｉｏｎ）、流体を充たした懸架（ｆｌｕｉｄ  ｆｉｌｌｅｄ  ｓｕｓｐｅｎｓｉｏｎ）又は磁気的浮揚（ｍａｇｎｅｔｉｃ  ｌｅｖｉｔａｔｉｏｎ）により達成される。後者の場合、周囲構造体から分離されるべき対象は永久磁石（ｐｅｒｍａｎｅｎｔ  ｍａｇｎｅｔ）に対して浮揚した反磁性部材（ｄｉａｍａｇｎｅｔｉｃ  ｍｅｍｂｅｒ）上に置かれる。可能な磁気的浮揚システム（ｍａｇｎｅｔｉｃ  ｌｅｖｉｔａｔｉｏｎ  ｓｙｓｔｅｍ）は特許文献４及び５で開示されている。
【００１１】
【特許文献１】米国特許第０４，１９９，６６７号明細書
【特許文献２】米国特許第０６，２２６，３８６号明細書
【特許文献３】米国特許第０４，５１４，５９８号明細書
【特許文献４】米国特許第０３，４２８，３７０号明細書
【特許文献５】米国特許第０３，５９７，０２２号明細書
【発明の開示】
【課題を解決するための手段】
【００１２】
本発明の目的は上記説明の欠点を除いたシステムと、この様なシステムの使用法とを提供することである。同封された独立請求項内で規定される特徴がこのシステムと該システムの使用法とを特徴付ける。
【００１３】
特に、本発明は録音及び／又は音再生部分用の改良されたシステムを説明するが、該録音及び／又は音再生部分は磁場上で浮揚される。
【００１４】
本発明は更に付置する請求項で説明される録音及び／又は音再生部分の使用法を開示する。
【実施例１】
【００１５】
本発明は装置（ａｒｒａｎｇｅｍｅｎｔ）と該装置の使用法とを開示するが、該装置の主な特徴はノイズ源（ｎｏｉｓｅ  ｓｏｕｒｃｅ）と信号源（ｓｉｇｎａｌｌｉｎｇ  ｓｏｕｒｃｅ）との間のその全ての種類の機械的結合の抑制（ｓｕｐｐｒｅｓｓｉｏｎ  ｏｆ  ａｌｌ  ｋｉｎｄｓ  ｏｆ  ｍｅｃｈａｎｉｃａｌ  ｃｏｕｐｌｉｎｇ）である。特に、録音及び／又は音再生部分（図１の１１，１３、１７）が第２部分にルースにアンカー（ａｎｃｈｏｒｅｄ）され／結合（ｃｏｎｎｅｃｔｅｄ）されるのが示されており、そこでは信号源、すなわち、録音及び／又は音再生部分と、該第２部分と、の間の欲しない結合が抑制されるが、それは該信号源が磁場上に浮揚されるからである。
【００１６】
本発明は、構造体伝達的振動（ｓｔｒｕｃｔｕｒｅ−ｂｏｒｎｅ  ｖｕｂｒａｔｉｏｎ）を抑制するために信号源、すなわちマイクロホンが磁気的浮揚により支持される装置を開示する。本発明をより容易に理解可能にするために、マイクロホンを参照する時、何らかの音発生又は録音デバイスは該マイクロホンと置き換えることが出来ることが理解されねばならない。マイクロホンの性能はそれにより高められ、例えば、該マイクロホンから遠く離れている人からの低レベル信号をピックアップするためにより良い質の音と高められた能力を与える。
【００１７】
更に該マイクロホンの第２部材へのルース（ｌｏｏｓｅｌｙ）なアンカー／結合を参照する時、このアンカー／結合が、ブルーツース（Ｂｌｕｅｔｏｏｔｈ）、他の無線結合（ｒａｄｉｏ  ｃｏｎｎｅｃｔｉｏｎｓ）、紫外線、信号伝送用の磁気的又は光結合の様な、無線結合を含む、当業者により公知のどんな種類とすることも出来て、更に浮遊型マイクロホンへの電力輸送（ｐｏｗｅｒ  ｔｒａｎｓｍｉｓｓｉｏｎ）が従来技術で公知の無線型とすることも出来ることは理解されるべきである。該電力輸送は送信及びピックアップループを有する誘導的に結合されたシステムを備えても良いが、それに限定されない。典型的なこの様な誘導的に結合された電力輸送システムはコネクターレス輸送（ｃｏｎｎｅｃｔｏｒｌｅｓｓ  ｔｒａｎｓｍｉｓｓｉｏｎ）用に共振的（ｒｅｓｏｎａｎｔ）、擬似方形波（ｑｕａｓｉ  ｓｑｕａｒｅ  ｗａｖｅ）、パルス幅変調（ｐｕｌｓｅ  ｗｉｄｔｈ  ｍｏｄｕｌａｔｅｄ）（ＰＷＭ）された電源を使う。
【００１８】
本発明の好ましい実施例が図１で示される。３つの代わりの実施例が図３，図４，そして図５で示される。該図は側部から見た断面図を示し、論じられる装置の全てが円い形状を有する。該円い形状はそれが磁場の分布に来た時或る利点を有するが、しかしながら、この説明では、これは図面を簡単化し、それらをより容易に理解可能にするため行われているに過ぎない。従って、該磁石はどんな形状も有し得て、どんな種類、永久磁石型又は電磁石型（ｐｅｒｍａｎｅｔ  ｏｒ  ｅｌｅｃｔｒｏｍａｇｎｅｔｉｃ  ｔｙｐｅ）でもよい。図２は本発明の好ましい実施例で使われる磁石用に３つの可能な形状（２１，２２，２３）を示す。
【００１９】
図１では、テーブル又はデスク上での使用のためのマイクロホンを示す。該マイクロホ
ンは２つの主な部分、テーブル上に置かれたベース（１２）の上に浮揚する実質的に重い頂部部分（１１）を含む。該頂部部分は下方に面するその極の１つ（すなわち、北極）を有する円形磁石（１３）を保持する。該磁石（１３）は該ベース上のもう１つの磁石（１４）の上に直接置かれる。該ベース上の磁石（１４）は上方へ面し同じ極（すなわち、Ｎ極）を有する。同じ磁極の相互の対面は反発力を創り、該力は該マイクロホン（１１）の頂部部分を浮揚させる。該磁石を相互に対し安定させるために、該頂部部分は側方には小さなジンバル（ｇｉｍｂａｌｓ）又は柔軟なパッド（ｐａｄｓ）（１５と１８）と薄く柔軟な腕部（ａｒｍｓ）／指部（ｆｉｎｇｅｒｓ）（１６）により固定される。これらの腕部は垂直の動きを拘束せず、従って、１つの垂直向きの振動は該頂部部分に伝送され得る。該頂部部分の本来の重さと低い結合点（１５と１８）とのために、何らかの水平向きの振動は該頂部部分を側方へ移動するよりも寧ろチルトさせ、該頂部部分の中心を実質的に静止するよう保つ。最終的に該頂部部分は該マイクロホン素子（１７）を保持し、該テーブルからの何らかの振動の影響無しに音をピックアップする。
【００２０】
該マイクロホンの該頂部部分を多大な取り扱い力により破壊されることから守り、それが（取り扱い時）逆さまに回されることを可能にするよう、該頂部部分は、正常動作時何等機械的接触無しにそれを位置的に保持する或る機械的構造体によりベースへ固定される必要がある。図１ａと１ｂで、該頂部（１１）の下部部分がそれを該ベース（１２）に対して僅かに動くことを可能にするが、大きな変位を防止する形状を有することが分かる。もし誰かが、それが該ベースと接触するまで該頂部部分を下方へ意図的に加圧するなら、大きな音（ｈｉｇｈ  ｓｏｕｎｄ）が発生することを防止するために、該２つの部品間に或る種の減衰材料（ｄａｍｐｉｎｇ  ｍａｔｅｒｉａｌ）（１９）が付けられてもよい。
【００２１】
各セットの磁石は図２ｃに於ける様な１つの円形磁石、又は図２ａ及び２ｂに於ける様な幾つかのより小さい磁石から成ってもよい。
【実施例２】
【００２２】
本発明の第２の好ましい実施例
図３には代わりの装置が示される。これは基本的に同じアイデアであるが、しかしながら、このバージョンはキャビネット、すなわち拡声機能付き電話（ｌｏｕｄ  ｓｐｅａｋｉｎｇ  ｐｈｏｎｅ）内に組み入れられるのにより良く適合している。第１の実施例で説明された全ての特徴、機械的保護すなわち減衰材料、安全ボルト／フック又は保持ボルトは該第２実施例にも含まれる。
【００２３】
この装置では該頂部部分（３１）、マイクロホン（３７）そして磁石（３３）及び（３４）は水平面に対し僅かにチルトされる。これは該薄い柔軟な腕部／指部（３５）が該頂部部分の１つの側へのみ取り付けられることを可能にして、より簡単でより低コストの機械的設計と、ことによるとより小さく／より簡単な磁石をも許容する。
【実施例３】
【００２４】
本発明の第３の好ましい実施例
図４では、なおもうい１つの装置が示される。ここで該マイクロホン素子（４７）を保持する該頂部部分（４１）は純粋に磁力により支持され、安定化される。円形の反磁性部材（４５）は該ベース（４２）内の永久磁石（４６）に対し浮揚され、円形の鉄の戻り部材（ｃｉｒｃｕｌａｒ  ｉｒｏｎ  ｒｅｔｕｒｎ  ｍｅｍｂｅｒ）（４４）と鉄の極板（ｉｒｏｎ  ｐｏｌｅ  ｐｌａｔｅ）（４３）を通る磁場を創る。機械的保護に関して前の実施例で説明した特徴は本発明のこの第３の実施例にも含まれる。
【実施例４】
【００２５】
本発明の第４の好ましい実施例
図５では多層構造体が開示され、そこでは信号源（５７）と、永久磁石であるかそうでないか何れかの磁石（５３）と、を構成する１つの第１部分（５１）がベース（６１）を形成する第２部分上に浮揚する。これら２つの部分は第１信号源デバイス（ｆｉｒｓｔ  ｓｉｇｎａｌｌｉｎｇ  ｓｏｕｒｃｅ  ｄｅｖｉｃｅ）と組み合わされる。該信号源デバイスはその底部に固定された磁石（６３）を有し、更に我々は第２ベース（５２）を形成する第３部分を有し得るが、そこでは該第２ベースは、該第１信号源デバイスを反発するよう配置されたその頂部側上の磁石（６４）を有し、従って我々は磁石浮揚型の２層化されたフイードバック抑制システム（ｔｗｏ  ｌａｙｅｒｅｄ  ｆｅｅｄｂａｃｋ  ｓｕｐｐｒｅｓｓｉｏｎ  ｓｙｓｔｅｍ）を有する。同じ原理を用いてｎ層構造体（ｎ−ｌａｙｅｒ  ｓｔｒｕｃｔｕｒｅ）を作ることが可能である。この第４の実施例は前記実施例の何れと組み合わされてもよく、更にそれは機械的保護システムの様な前の実施例の全ての特徴を含んでもよい。
【００２６】
従来技術と比較して本発明の主な利点は、マイクロホンの全体的性能が高められ、すなわち、該マイクロホンから遠く離れている人からの低レベルの信号をピックアップするために、より良い品質の音と、高められた能力を与えることである。これは該マイクロホンに、一般的に磁力を通しての周囲構造体への非常に”ソフト（ｓｏｆｔ）”な結合（ｃｏｎｎｅｃｔｉｏｎ）を持たせることにより達成される。これは該マイクロホンに、さもなければ有り得るより遙かに低い固有揺動周波数（ｎａｔｕｒａｌ  ｓｗｉｎｇｉｎｇ  ｆｒｅｑｕｅｎｃｙ）を与え、従ってそれをその周りのどんなシステムからも機械的に分離する。
【００２７】
組み込まれたマイクロホンとラウドスピーカーの両者を有し、そこではこれら間の望ましくない音響的、構造的結合が存在し、補償されねばならない機器内で、全体的結合、特に該結合の調波的歪み（ｈａｒｍｏｎｉｃ  ｄｉｓｔｏｒｔｉｏｎ  ｏｆ  ｔｈｅ  ｃｏｕｐｌｉｎｇ）が減じられ得て、エコーキャンセラー（ｅｃｈｏ  ｃａｎｃｅｌｌｅｒ）／コンペンセーター（ｃｏｍｐｅｎｓａｔｏｒ）の設計か又は全体の機械的設計か何れか（又は両者）を簡略化する。
【００２８】
本発明は又従来技術で提示される技術と組み合わされてもよい。例えば、該マイクロホン膜の適当な向きにより１つの方向からの振動ピックアップ（ｖｉｂｒａｔｉｏｎ  ｐｉｃｋｕｐ）を減じることにより、該膜の法線方向の振動を減じるだけでよい簡単な磁石配置が使用出来る。
【００２９】
前記では本発明の特定の実施例の詳細な説明が提供されたが、等価物が請求される本発明の範囲内に含まれるべきことは理解されるべきである。
【図面の簡単な説明】
【００３０】
本発明をより容易に理解可能にするため、下記の論議は付属する図面を参照する。
【図１】本発明の好ましい実施例の側面図（１ａ）と底面図（１ｂ）を示す。これは会議テーブル上で使用するためのマイクロホンである。
【図２】図１のマイクロホンで使う磁石用の３つの異なる形状を示す。
【図３】キャビネット、すなわち拡声機能付き電話内に組み入れるよう意図されたマイクロホンで実現する、代わりの実施例の側面図を示す。
【図４】永久磁石に対し浮揚した円形の反磁性部材上に置かれたマイクロホンの側面図を示す。
【図５】本発明の好ましい実施例の磁気的多層バージョンの側面図を示す。
【図１ａ】
2007534198.tif 000003
【図１ｂ】
2007534198.tif 000004
【図２ａ】
2007534198.tif 000005
【図２ｂ】
2007534198.tif 000006
【図２ｃ】
2007534198.tif 000007
【図３】
2007534198.tif 000008
【図４】
2007534198.tif 000009
【図５】
2007534198.tif 000010
【手続補正書】
【提出日】平成17年4月15日(2005.4.15)
【手続補正１】
【補正対象書類名】特許請求の範囲
【補正対象項目名】全文
【補正方法】変更
【補正の内容】
【特許請求の範囲】
【請求項１】
第１の録音及び／又は音再生部分（１１，１３，１７）と第２の受動的部分（１２）と具備する録音及び／又は音再生デバイスに於いて、該第１の録音及び／又は音再生部分が該第１の録音及び／又は音再生部分（１１，１３，１７）をベースに固定する保持手段を備えており、該第１の録音及び／又は音再生部分が磁場上に浮揚されることを特徴とする該録音及び／又は音再生デバイス。
【請求項２】
該第１の録音及び／又は音再生部分（１１，１３，１７）と該第２部分（１２）の間に伝送ラインがあり、該伝送ラインが有線式であるか又は無線式であることを特徴とする請求項１の録音及び／又は音再生デバイス。
【請求項３】
該録音及び／又は音再生部分（１１，１３，１７）と前記第２部分（１２）とが組み合わせで第１の録音及び／又は音再生デバイス（１０）を形成することを特徴とする請求項１の録音及び／又は音再生デバイス。
【請求項４】
前記第１の録音及び／又は音再生デバイス（１０）が、各層が上の層と下の層の間の磁場上で浮揚される或る数の層内で、第１層を形成することを特徴とする請求項３の録音及び／又は音再生デバイス。
【請求項５】
前記磁場が該録音及び／又は音再生部分により保持される永久磁石（１３）及び／又は電磁石（１３）と、該第２部分により保持される磁石（１４）と、により達成され、前記磁石が、相互に対面しており、該録音及び／又は音再生部分を浮揚させる反発力を創る、同じ極を有することを特徴とする請求項１−４の１つの録音及び／又は音再生デバイス。
【請求項６】
該録音及び／又は音再生部分が小さなジンバル又は柔軟なパッド（１５，１８）及び／又は柔軟な腕部／指部（１６）により側方で固定され、そして／又は前記第１の録音及び／又は音再生デバイス（１０）が小さなジンバル又は柔軟なパッド及び／又は柔軟な腕部／指部により側方で固定されることを特徴とする請求項１−５の１つの録音及び／又は音
再生デバイス。
【請求項７】
前記側方での固定装置（１５，１６，１８）が該録音及び／又は音再生部分から外方へ延びる１つ以上の腕部／指部として実現され、前記固定装置（１５，１６，１８）が該第２部分（１２）に固定され、そして／又は前記側方での固定装置が前記第１の録音及び／又は音再生デバイス（１０）から外方へ延びる１つ以上の腕部／指部として実現され、前記固定装置が前記下の層に固定されることを特徴とする請求項４及び６の録音及び／又は音再生デバイス。
【請求項８】
該腕部／指部は柔軟であり、該録音及び／又は音再生部分が磁束線に平行な軸線に沿って自由に動くことを可能にしており、そして／又は該腕部／指部は柔軟であり、前記第１の録音及び／又は音再生デバイス（１０）が各層間で該磁束線に平行な軸線に沿って自由に動くことを可能にすることを特徴とする請求項６又は７の録音及び／又は音再生デバイス。
【請求項９】
該録音及び／又は音再生部分（１１，１３，１７）は機械的な干渉に対し機械的に固定されており、そして／又は前記第１の録音及び／又は音再生デバイス（１０）は機械的な干渉に対し機械的に固定されていることを特徴とする前記請求項の１つの録音及び／又は音再生デバイス。
【請求項１０】
前記機械的固定装置は安全ボルト及び／又は安全フック保持ボルトとして実現されることを特徴とする請求項９の録音及び／又は音再生デバイス。
【請求項１１】
減衰材料／基盤（１９）が、該録音及び／又は音再生部分と、該第２部分と、の間の面の１つ又は両者に取り付けられ、そして／又は減衰材料／基盤が前記第１の録音及び／又は音再生デバイス（１０）と前記下の層と、の間の面の１つ又は両者に取り付けられることを特徴とする前記請求項の１つの録音及び／又は音再生デバイス。
【請求項１２】
前記第１の録音及び／又は音再生デバイス（１０）が下記デバイス、すなわち、
拡声機能付き電話、
電話、
無線通信機器、
モバイルホン、
ブルーツースデバイス、
ビデオ会議ターミナル、
補聴器、そして
能動的耳保護機器、
の１つ以上の一体化部品であることを特徴とする請求項２−１１の１つの録音及び／又は音再生デバイス。
【請求項１３】
該録音及び／又は音再生部分がマイクロホン（１７）を保持することを特徴とする前記請求項の１つの録音及び／又は音再生デバイス。
【請求項１４】
前記第１の録音及び／又は音再生デバイス（１０）がテーブルトップマイクロホンであることを特徴とする請求項１３の録音及び／又は音再生デバイス。
【請求項１５】
該録音及び／又は音再生部分がスピーカー素子を保持することを特徴とする請求項１−１２の１つの録音及び／又は音再生デバイス。
【請求項１６】
該録音及び／又は音再生部分（１１，１３，１７）と該第２部分（１２）の間の該信号
伝達及び電力輸送が無線による伝達又は輸送であることを特徴とする請求項１−１５の１つの録音及び／又は音再生デバイス。
【請求項１７】
該無線伝達が下記解決策、すなわち、
ブルーツース結合／伝達、
該ブルーツース結合と異なる無線結合、
紫外線結合／伝達、
磁気結合／伝達、
光学的結合／伝達、の１つ以上で、及び／又は
誘導的に結合されたシステムとして、
実現されることを特徴とする請求項１６の録音及び／又は音再生デバイス。
【請求項１８】
前記第１の録音及び／又は音再生デバイス（１０）が下記デバイス、すなわち、
拡声機能付き電話、
電話、
無線通信機器、
モバイルホン、
ブルーツースデバイス、
ビデオ会議ターミナル、
補聴器そして
能動的耳保護機器、
の１つ以上内の一体化部分として使われることを特徴とする請求項２−１６の何れかの録音及び／又は音再生デバイス（１１，１３，１７）。
【手続補正２】
【補正対象書類名】明細書
【補正対象項目名】０００８
【補正方法】変更
【補正の内容】
【０００８】
特許文献１からマイクロホン素子（microphone element）がハウジング内部に機械的に懸架（suspended）されるマイクロホンは公知である。該マイクロホン素子を保持するために使われる弾性材料の重さと特性は既知であり、従って固有揺動周波数（natural swinging frequencies）は既知であり、これは該素子を励起する振動を補償するため使われる。信号内に振動で発生されるノイズ（vibration generated noise）を補償するもう１つの方法が特許文献２で開示される。ここでは該マイクロホンは該マイクロホンケース内部に発振検出デバイス（oscillation-detecting device）を有する。このデバイスからの情報は電子的に処理され、次いで該ノイズを補償するために該マイクロホン素子からの信号を修正するために使われる。該問題を解くなおもう１つの方法はマイクロホンケース全体を或る種の柔軟なクレードル（cradle）内に現実的に置くことであり、これは特許文献３で行われている。    
なお他の解決策が特許文献６及び７で示されており、前者は磁気浮揚懸架（magnetic levitation suspension）を使う電気音響変換器（electro acoustic transducer）を説明しており、後者は囲まれたキャビテイ（enclosed cavity）を形成するハウジング内面を有する多数部品変換器（multicomponent transducer）を説明している。１つの慣性質量（inertial mass）が該囲まれたキャビテイ内に含まれる磁性流体（magnetic fluid）内に浸されており、従って該慣性質量は磁性浮揚懸架を創り出す該磁性流体により創られる強磁性流体力学的力（ferrohydrodynamic force）により浮揚される。なお更に、当該技術を規定する背景技術が特許文献８で見出される。
【手続補正３】
【補正対象書類名】明細書
【補正対象項目名】００１１
【補正方法】変更
【補正の内容】
【００１１】
【特許文献１】米国特許第０４，１９９，６６７号明細書
【特許文献２】米国特許第０６，２２６，３８６号明細書
【特許文献３】米国特許第０４，５１４，５９８号明細書
【特許文献４】米国特許第０３，４２８，３７０号明細書
【特許文献５】米国特許第０３，５９７，０２２号明細書
【特許文献６】フランス特許第２，６９６，３０８号明細書（Ｒｏｂｅｒｔ  Ｒｉｇｏｎｄｅａｕ）
【特許文献７】米国特許第５，００７，２９２号明細書（Ｃｒｏｗｅ  ｅｔ  ａｌ．）
【特許文献８】米国特許第６，１１１，９７２号明細書
【手続補正４】
【補正対象書類名】明細書
【補正対象項目名】００１３
【補正方法】変更
【補正の内容】
【００１３】
特に、本発明は録音及び／又は音再生デバイス用の改良されたシステムを説明するが、該デバイスは第１の録音及び／又は音再生部分と第２の受動的部分とを具備する。該第１の録音及び／又は音再生部分はベースに該第１の録音及び／又は音再生部分を固定する保持手段を備え、該第１の録音及び／又は音再生部分は磁場上で浮揚される。
【国際調査報告】
2007534198.tif 000011
2007534198.tif 000012
2007534198.tif 000013